(57)【要約】      （修正有）【課題】肩掛け式ボディウエスト巻きバッグの提供。【解決手段】持ち運ぶ荷物を軽くするため、袋（バッグ）部分を身体に密着させるべく、腹部と腰まわりの全身に袋（バッグ）をスカートのように巻きつけ、その横両端をチャックで固定する。（または、２本〜３本の小ベルトでとめるか、２〜３個のボタンでとめる形とする等。）この袋（バッグ）部分の上部はまいかけ形式の肩掛けひもを左右の両肩に均等にかけて持つことにより、両手が使えるようにして、雨の日でも傘を持って、重たい荷物を持つことが出来るようにし、又、袋（バッグ）上部の口の部分は右まわりと左まわりの２本のチャックで閉じる。【選択図】図１
0003114960.tif 000002
【実用新案登録請求の範囲】
【請求項１】
肩掛けひもを頭からかぶり、肩掛けひもを左右の両肩に掛け、腰まわりの袋（バッグ）部分の両横端部分から肩掛けひもにいたる部分までの片方ずつにそれぞれ取り付けたチャックをはめてかけて、引下げ、袋（バッグ）が腹部から腰にかけてのスカート状になり、全体がワンピースを着たような形になるように、袋（バッグ）が身体の腹部と腰身まわりの全体を巻いた状態にしたものに、前と後・又は、右と左の個別に、または前・後・左・右を一連の袋（バッグ）として、全部に荷物を入れて持ち運べるようにした、肩掛けボデイウエスト袋（バッグ）で特に重量物を入れた時は、袋（バッグ）の外側の中心部前後左右に取り付けた補助手さげひもを持ち上げて、身体にかかる重みを多少とも軽減するようにして、持ち上げて歩けるようにし、又、雨の日でも、素材に防水して、持ち歩けるようにし、いろいろの品物を袋（バッグ）にじかにいれても良いし、食品入りのビニールの袋や鞄などをそのまま袋（バッグ）に入れても良いようにした袋（バッグ）で、袋（バッグ）の口の部分は右まわりと左まわりの両側チャック付や口にチャックのない袋（バッグ）だけのものや、または、口を布ぶた付としたものなどにも出来、いろいろと使い分けができる、又、袋の中は前の部分と左部分と右部分と後部分の４ケ所に分けて入れれるように、深さ約１０ｃｍほどの間仕切りを設けて、品物が勝手に移動しにくくし、使いやすいようにした構造。
【考案の詳細な説明】
【考案の開示】
【考案が解決しようとする課題】
【０００１】  従来から食品などの買い物をしたりする時、多くの荷物を持ち運ぶ上で非常に重く、高齢化社会になっている現在、高齢者などで自動車や自転車に乗れない人が増加している昨今、手で荷物を持ち運びする上で、出来るだけ軽く持ち運びすることが必要で雨の日など傘を持って多くの重い荷物を持ち運びするのが、非常に困難な状況となってきている問題があった。
【課題を解決するための手段】
【０００２】  荷物は持ち運びの際、できるだけ身体に密着して持ち運ぶのが一番力が少なくてすむため、身体のまわりに巻きつける事は、荷物の持ち運びを少しでも軽くする事と雨の日でも手で持たずに両肩でさげて歩けるため、両手をあけることが出来、雨でも素材を防水にしておけば、荷物の持ち運びをしながら傘をさすことが出来る肩掛け式でボデイウエスト密着型にした入れ物（袋（バッグ））です。
【考案の効果】
【０００３】  身体全体に巻きつけたため、荷物の持ち運びを軽く容易にした事と両手があくため雨の日でも傘をさしたり又、物入れ箇所が前・後・左・右と４ヶ所のため入れる荷物が少ない時は、それらのいずれか好きなところへ自由に入れることが出来、別に超大型の鞄などを持ちたい場合は、前・後の部分だけに荷物を入れて、左・右は空にしておけば別に超大型の鞄も同時に持つ事も可能であり、使用の仕方次第で用途は無数に考えられる。
【実施例】
【０００４】  まえかけの要領で、肩掛けボデイウエスト袋（バッグ）の両端部分から、からだを入れて肩掛けひもを頭からかぶり、肩掛けひもを左右の両肩に掛け、腹部と腰まわりの袋（バッグ）部分の両横端部分から肩褂けひもにいたる部分までの片方ずつに、それぞれ取り付けたチャックの片方ずつの金具をはめて、かけて引下げ、袋（バッグ）がスカート状になり、全体がワンピースを着たような形になるように、袋（バッグ）が身体全体のまわりを巻いた状態にしている為、重いものも軽く感じる袋（バッグ）で袋（バッグ）の前や後・又は、右や左の個別に、または前・後・左・右の全部に同時に荷物を入れて持ち運べるようにした、肩掛けボデイウエスト袋（バッグ）で、特に重量物を入れた時は、袋（バッグ）の外側の前後左右の中心部分に取り付けた補助手さげひもを持ち上げながら歩くと、身体にかかる重みを、多少とも軽減するように出来る。又、いろいろの品物を袋（バッグ）にじかに入れても良いし、食品入りのビニール袋や鞄などをそのまま袋（バッグ）に入れても良い。袋（バッグ）の口の部分は右まわりと左まわりの両側チャック付のものやチャックのない袋状だけのもの、または、チャックのかわりに布ぶた付としたものなどにより、使い分けできる。又、袋（バッグ）の中は前の部分と左部分と右部分と後部分の４ケ所に分けて入れれるようにするため袋（バッグ）の底部分に、深さ約１０ｃｍほどの仕切り設けているため、品物が勝手に移動せずに安心して使える。
【図面の簡単な説明】
【０００５】
【図１】本考案の斜視図である。
【図２】本考案の平面図である
【符号の説明】
【０００６】１  肩掛けひも
２  ボデイ部分
３  ボデイウエスト袋（バッグ）部分
４  両横端とじとめチャック
５  ボデイウエスト袋（バッグ）身体まわり口チャック
６  補助手さげひも
【図１】
0003114960.tif 000003
【図２】
0003114960.tif 000004
【手続補正書】
【提出日】平成16年11月19日(2004.11.19)
【手続補正１】
【補正対象書類名】実用新案登録請求の範囲
【補正対象項目名】全文
【補正方法】変更
【補正の内容】
【実用新案登録請求の範囲】
【請求項１】
肩掛けひもを頭からかぶり、両肩とボデイと腰の接触面全体で荷物の重量を受けれるようにして、品物を持運べるようにした肩掛け式ボデイウエスト巻きバッグです。
【請求項２】
袋（バッグ）部分を腹部及び腰があたる部分の身体周り全体に一連の袋（バッグ）状にしたもので、身体の周囲全体にグルリと巻きつけれるようにした、ワンピース型で、上部の口をチャックや布フタなどで開け閉めできるようにした、肩掛け式ボデイウエスト巻きバッグです。
【請求項３】
腹部から腰にかけてスカート状に巻つけた、一連の袋（バッグ）部分の左右の両端部どうしをチャックやボタンなどで上から下に閉じれるようにした、肩掛け式ボデイウエスト巻きバッグです。
【請求項４】
一連の袋（バッグ）の底の前と後・又は、左と右などの、個別に荷物を入れるか、または前・後・左・右を一連の袋（バッグ）として、全部に荷物を入れて、持ち運べるなど、どちらにもなるようにした、肩掛け式ボデイウエスト巻き袋（バッグ）で特に重量物を入れた時は、袋（バッグ）部分の外側の中心部前・後・左・右の４ケ所に補助手さげひも付けた、肩掛け式ボデイウエスト巻きバッグで補助手さげひも持ち上げて、身体にかかる重みを多少とも軽減できるようにしながら、荷物を持ち上げながら歩けるような構造とした、肩掛け式ボデイウエスト巻きバッグです。
【請求項５】
素材を防水素材として、雨の日でも着て歩けるようにし、いろいろの品物を、肩掛け式ボデイウエスト巻きバッグに直接にいれられるとともに、食品入りのビニールの袋や鞄なども、荷物を入れた状態のままで、肩掛け式ボデイウエスト巻きバッグの一連の巻き袋（バッグ）部分に入れて持ち運べることが出来るような構造とした、肩掛け式ボデイウエスト巻きバッグです。
【請求項６】
一連の、袋（バッグ）に前・後・左・右のそれぞれ４ケ所に品物を前・後・左・右に別々にも入れれるように袋（バッグ）の底部分に底から深さ約１０センチ程度の間仕切りを３ケ所設けて、品物が勝手に移動しにくくした、肩掛け式ボデイウエスト巻きバッグです。
【手続補正書】
【提出日】平成17年3月28日(2005.3.28)
【手続補正１】
【補正対象書類名】実用新案登録請求の範囲
【補正対象項目名】全文
【補正方法】変更
【補正の内容】
【実用新案登録請求の範囲】
【請求項１】
肩掛けひも１と両端横とじとめチャック４で固定したボデイウエスト袋（バッグ）部分３との上下間のボデイ部分２（ベルトまたは紐や帯などで締めるスペース）の三点をひとつのワンピース型に組み合わせた構造の肩掛け式ボデイウエスト巻きバッグ。
【請求項２】
ボデイウエスト袋（バッグ）部分３を腹部及び腰があたる部分の身体周り全体に一連の袋（バッグ）状にしたもので、身体の周囲全体にグルリと巻きつけれるようにした、ワンピー型で、上部の袋の品物などを入れる口をチャックや布フタなどで開け閉めできるようにした構造の肩掛け式ボデイウエスト巻きバッグ。
【請求項３】
腹部から腰にかけてスカート状に巻つけた、一連のボデイウエスト袋（バッグ）部分３の（両端横とじとめチャック部分）の左右の両端部どうしをチャック（またはボタンや小ベルトなど）で上から下に閉じてボデイウエスト袋（バッグ）部分３を身体に固定するようにした構造の肩掛け式ボデイウエスト巻きバッグ。
【請求項４】
一連の袋（バッグ）の底の前と後・又は、左と右などの、個別に荷物を入れるか、または前・後・左・右を一連の袋（バッグ）として、全部に荷物を入れて、持ち運べるなど、どちらにもなるようにした、肩掛け式ボデイウエスト巻き袋（バッグ）で特に重量物を入れた時は、袋（バッグ）部分の外側の中心部前・後・左・右の４ケ所に補助手さげひも付けた、肩掛け式ボデイウエスト巻きバッグで補助手さげひも持ち上げて、身体にかかる重みを多少とも軽減できるようにしながら、荷物を持ち上げながら歩けるような構造とした、肩掛け式ボデイウエスト巻きバッグ。
【請求項５】
素材を防水性等として、袋（バッグ）の中がぬれたり汚れたりしても大丈夫なようにまた洗いやすく乾きやすくするとともに袋（バッグ）に入れた品物を持ち上げてバッグ内で身体の前・後・左・右に簡単に移動しやすいように全身周囲をを一つの横長の一連の袋（バッグ）状とした構造の肩掛け式ボデイウエスト巻きバッグ。
【請求項６】
一連の、袋（バッグ）３に前・後・左・右のそれぞれ４ケ所に品物を前・後・左・右に別々にも入れれるように袋（バッグ）の底部分に底から深さ約１０センチ程度の間仕切りを３ケ所程度設けて、品物が勝手に移動しにくくした構造の肩掛け式ボデイウエスト巻きバッグ。
【手続補正書】
【提出日】平成17年6月15日(2005.6.15)
【手続補正１】
【補正対象書類名】実用新案登録請求の範囲
【補正対象項目名】全文
【補正方法】変更
【補正の内容】
【実用新案登録請求の範囲】
【請求項１】
肩掛けひも１と両端横とじとめチャック４で固定した全身周囲一連のボデイウエスト袋（バッグ）部分３との上の肩掛けひも１と下のボデイウエスト袋（バッグ）部分３の間のベルトまたは紐や帯などで締めるスペースであるボデイ部分２の三点をひとつのワンピースなどのような型に組み合わせた構造の肩掛け式ボデイウエスト巻きバッグ。
【請求項２】
ボデイウエスト袋（バッグ）部分３を腹部及び腰があたる部分の身体周り全体に一連の袋（バッグ）状にしたもので、身体の周囲全体にグルリと巻きつけれるようにした、請求項１のようなワンピース型の、ボデイウエスト袋（バッグ）部分３の上部の品物などを入れるボデイウエスト袋（バッグ）身体まわり口チャック５の部分を右回りと左まわりの左右２本のチャック、またはフタなしや布フタ付などとして開け閉めができるような構造とした、請求項１記載の肩掛け式ボデイウエスト巻きバッグ。
【請求項３】
腹部から腰にかけてスカート状に巻つけた、一連のボデイウエスト袋（バッグ）部分３の両横端とじとめチャック４の左右の両端部どうしをチャックまたはボタンやベルトなどで上から下に閉じて、ボデイウエスト袋（バッグ）部分３を身体に密着固定するような構造とした、請求項１または２に記載の肩掛け式ボデイウエスト巻きバッグ。
【請求項４】
一連のボデイウエスト袋（バッグ）部分３、の前と後・又は、左と右などの、個別に荷物を入れるか、または前・後・左・右を一連の袋（バッグ）として、全部に荷物を入れて、持ち運べるなど、どちらにもなるようにした、肩掛け式ボデイウエスト巻きバッグで特に重量物を入れた時は、袋（バッグ）部分の外側の中心部に前・後・左・右の４ケ所に補助手さげひも付けた、肩掛け式ボデイウエスト巻きバッグで補助手さげひもを持ち上げて、身体にかかる重みを多少とも軽減できるようにしながら、荷物を持ち上げながら歩けるような構造とした、請求項１又は２に記載の肩掛け式ボデイウエスト巻きバッグ。
【請求項５】
素材を防水性等にして、袋（バッグ）の中がぬれたり汚れたりしても大丈夫なように、また洗いやすく乾きやすくするとともに袋（バッグ）に入れた品物を持ち上げてバッグ内で身体の前・後・左・右に簡単に移動しやすいように全身周囲を一つの横長の一連の袋（バッグ）状のような構造とした、請求項１又は２に記載の肩掛け式ボデイウエスト巻きバッグ。
【請求項６】
一連の、ボデイウエスト袋（バッグ）部分３に前・後・左・右のそれぞれ４ケ所に品物を前・後・左・右に別々にも入れることができるように、袋（バッグ）の底の部分に底から深さ約１０センチ程度の間仕切りを３ケ所程設けて、品物が勝手に前後左右に移動しにくいような構造とした、請求項１又は２記載の肩掛け式ボデイウエスト巻きバッグ。